【事件の表示】
　平成　６年特許願第２７１４５０号「パチンコ機の制御基板収納ボックス」拒絶査定不服審判事件〔平成　８年　５月２８日出願公開、特開平　８−１３１６３２〕について、次のとおり審決する。
【結　論】
　本件審判の請求は、成り立たない。
【理　由】
１．手続きの経緯
　本願は平成６年１１月４日の出願であって、平成１６年１１月２６日付の拒絶理由通知に対して、平成年１７年１月２０日付で意見および手続き補正がなされ、同年５月２日付の拒絶査定がなされたのに対して、同年６月９日付で拒絶査定不服審判請求がなされるとともに、同年７月１１日付で手続き補正がなされたものである。
　　　　　　　　　　　　　　　　　　　　　　　　　　　　　　　
２．平成１７年７月１１日付の手続補正についての補正却下の決定
［補正却下の決定の結論］
　平成１７年７月１１日付の手続補正を却下する。
　　　　　　　　　　　　　　　　　　　　　　　　　　　　　　　　
［理由］
［１］補正の内容と補正の適否
　平成１７年７月１１日付の手続補正（以下、「本件補正」という。）により補正された特許請求の範囲の請求項１〜２に係る発明は、下記のとおりに特定されるものである。
　　　　　　　　　　　　　　　　　　　　　　　　　　
　「【請求項１】制御基板が装入される箱型状の周壁部のうちの直交する２辺の周壁部のそれぞれに位置決め部が形成された合成樹脂製のケース体と、そのケース体に係止部と被係止部とによって結合され且つ前記位置決め部を係合案内する案内部が箱型状の周壁部のうちの直交する２辺の周壁部のそれぞれに形成された合成樹脂製のカバー体と、を備えたパチンコ機の制御基板収納ボックスであって、
　前記ケース体の表面と前記カバー体の表面にわたって封印シールを貼着けるための貼付け面が形成され、
　前記ケース体の表面とカバー体の表面には、前記封印シールの剥離を防止するために、前記貼付け面に貼り付けられる封印シールの外周面に沿って方形枠状の仕切壁が突設されていることを特徴とするパチンコ機の制御基板収納ボックス。
　【請求項２】制御基板が装入される箱型状の周壁部のうちの直交する２辺の周壁部のそれぞれに位置決め部が形成されたケース体と、そのケース体に係止部と被係止部とによって結合され且つ前記位置決め部を係合案内する案内部が箱型状の周壁部のうちの直交する２辺の周壁部のそれぞれに形成されたカバー体と、を備えたパチンコ機の制御基板収納ボックスであって、
　前記ケース体の表面と前記カバー体の表面にわたって封印シールを貼着けるための貼付け面が形成され、
　前記ケース体の表面とカバー体の表面には、前記封印シールの剥離を防止するために、前記貼付け面に貼り付けられる封印シールの外周縁を取囲むように立上がった仕切り壁面が設けられ、
　前記貼付け面のうち、ケース体に形成された第１貼付け部と、カバー体に形成された第２貼付け部との境界部には段差部が設けられ、
　前記第１貼付け部と第２貼付け部にわたって前記封印シールが貼着けられた状態では、前記段差部と前記封印シールとの間に空隙部が形成されるとともに、その空隙部に対応する前記封印シールの部分には非貼着部位が設けられていることを特徴とするパチンコ機の制御基板収納ボックス。」（以下、「請求項１に記載された発明」を「本願補正発明」という。）
　　　　　　　　　　　　　　　　　　　　　　　　　　　
　そして、本件補正は、平成１７年１月２０日付の手続補正により補正された請求項１に記載された発明である「制御基板が装入されるケース体と、そのケース体に結合されるカバー体と、を備えたパチンコ機の制御基板収納ボックスであって、前記ケース体の表面とカバー体の表面にわたって封印シールを貼着けるための貼付け面が形成され、前記ケース体の表面とカバー体の表面には、前記封印シールの剥離を防止するために、前記貼付け面に貼り付けられる封印シールの外周縁に沿って方形枠状の仕切壁が突出されていることを特徴とするパチンコ機の制御基板収納ボックス。」の「制御基板が装入されるケース体」を「制御基板が装入される箱型状の周壁部のうちの直交する２辺の周壁部のそれぞれに位置決め部が形成された合成樹脂製のケース体」とするものであり、以下同様に、「そのケース体に結合されるカバー体」を「そのケース体に係止部と被係止部とによって結合され且つ前記位置決め部を係合案内する案内部が箱型状の周壁部のうちの直交する２辺の周壁部のそれぞれに形成されたカバー体」とするものである。
　また、平成１７年１月２０日付の手続補正により補正された請求項２に記載された発明である「制御基板が装入されるケース体と、そのケース体に結合されるカバー体と、を備えたパチンコ機の制御基板収納ボックスであって、前記ケース体の表面とカバー体の表面にわたって封印シールを貼着けるための貼付け面が形成され、前記ケース体の表面とカバー体の表面には、前記封印シールの剥離を防止するために、前記貼付け面に貼り付けられる封印シールの外周縁を取囲むようして立上った仕切り壁面が設けられ、前記貼付け面のうち、ケース体に形成された第１貼付け部と、カバー体に形成された第２貼付け部との境界部には段差部が設けられ、前記第１貼付け部と第２貼付け部にわたって前記封印シールが貼着けられた状態では、前記段差部と前記封印シールとの間に空隙部が形成されるとともに、その空隙部に対応する前記封印シールの部分には非貼着部位が設けられていることを特徴とするパチンコ機の制御基板収納ボックス。」の「制御基板が装入されるケース体」を「制御基板が装入される箱型状の周壁部のうちの直交する２辺の周壁部のそれぞれに位置決め部が形成されたケース体」とするとともに、同じく「そのケース体に結合されるカバー体」を「そのケース体に係止部と被係止部とによって結合され且つ前記位置決め部を係合案内する案内部が箱型状の周壁部のうちの直交する２辺の周壁部のそれぞれに形成されたカバー体」とするものである。
　したがって、本件補正は、平成１７年１月２０日付の手続補正により補正された特許請求の範囲に記載された発明を限定的に減縮するための事項に相当するものであるから、平成１８年改正前特許法第１７条の２第４項第２号の規定に適合している。
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　　
［２］本願補正発明の独立特許要件の適否
（１）引用例について
　原査定の拒絶理由に引用された刊行物である特開平０５−１３１０４８号公報（以下、「引用例」という。）には、以下の技術事項が図面とともに記載されている。
　　　　　　　　　　　　　　　　　　　　　　　　　　　
・記載事項１
　「【０００１】
【産業上の利用分野】この発明は、電気的信号により作動する入賞装置等の電気的作動機器を備えたパチンコ機の制御基盤収納ケースに関する。」
　　　　　　　　　　　　　　　　　　　　　　　　　　
・記載事項２
　「【００２５】
【第３実施例】図９〜図１１には、この発明の第３の実施例に係る制御基盤収納ケース３００Ａを備えた制御装置３００の構成例を示す。それらのうち、図９は制御装置３００の全体斜視図、図１０は制御装置３００の分解斜視図、図１１は制御装置３００の縦断側面図である。この実施例では、制御基盤１３０を収納する制御基盤収納ケース３００Ａを透明な収納ケース本体３１０と該収納ケース本体３１０の上端開口部に取り付けられる透明な蓋体３２０とから構成して、該制御基盤収納ケース３００Ａの内部に設置された制御基盤３１０（第１実施例のものと同じ）の表側部分と裏側部分とを外部から覗き見られるような構成としている。この実施例に係る制御装置３００は、同図に示すように、収納ケース本体３１０、該収納ケース本体３１０内に設置された制御基盤１３０、および前記収納ケース本体３１０の上端開口部に取り付けられた蓋体３２０等を備えている。そして、前記収納ケース本体３１０と前記蓋体３２０とで制御基盤収納ケース３００Ａを構成している。
【００２６】前記収納ケース本体３１０はプラスチック材等から上端開口の透明な箱体状に作られ、該収納ケース本体３１０には図示省略のアース線等を介して静電気を逃す導電線３３１が網目状に埋設されている。そして、その側部の相対向する長壁板３１１ａが設けられ、それら段付案内部３１１ａの途中には切欠き部３１１ｂが設けられている。それら切欠き部３１１ｂ中に弾性変形可能な係止片３１６，３１６が立設され、これら係止片３１６，３１６の上端部分に前記蓋体３２０を閉じた状態に係止する鉤状係止部３１６ａ，３１６ａが相対向した状態に形成されている。
【００２７】他方、収納ケース本体３１０の相対向する短壁板３１２，３１３のうちの一方の短壁板３１２は長壁板３１１，３１１と同じ高さに形成され、他方の短壁板３１３は低く形成されている。そして、その一方の短壁板３１２の上端部の左右寄り位置には切欠き部３１２ａ，３１２ａが形成され、これら切欠き部３１２ａ，３１２ａ中に取付片３１５，３１５が立設されている。これら取付片３１５，３１５の上端部には外向きの鉤状の保持部３１５ａ，３１５ａが形成されている。また、この短壁板３１２には制御装置３００内で発生した熱を外部に逃すための透孔３１２ｂが設けられている。前記制御基盤１３０は上記第１実施例のものと同じ構成なので、その説明は省略する。ただし、この実施例の制御基盤１３０にはアース接続線は接続されておらず、制御基盤１３０に発生した静電気は前記収納ケース本体３１０等を介して別のアース接続線（図示省略）から逃している。
【００２８】前記蓋体３２０は前記収納ケース本体３１０内に設置された制御基盤１３０を外部から覗けるように覆って静電遮蔽を行なうもので、例えば、プラスチック材料等で透明に作られている。この蓋体を介してアースさせて逃す導電線３２８が網目状に埋設されている。この蓋体３２０の、前記収納ケース本体３１０の保持片３１５と対応する側の端部分にはそれら保持片３１５の鉤状保持部３１５ａと相補的に噛み合って保持され得る保持片３２１，３２１が下向きに設けられ、それら保持片３２１，３２１の保持部３１５ａ，３１５ａと相補的に噛み合って保持される保持部３２１ａ，３２１ａが例えばＬ字状に屈曲して設けられている。
【００２９】また、この蓋体３２０の、前記収納ケース本体３１０の係止片３１６，３１６と対応する側の端部にはそれら係止片３１６，３１６の係止部３１６ａ，３１６ａが係合し得る係止段部３２２，３２２が設けられ、その左右両側の長辺部分には前記収納ケース本体３１０の左右両側の係止段部３１１ａ，３１１１ａに相互的に外嵌される嵌合片３２９，３２９が下向きに設けられている。また、この蓋体３２０の、前記保持片３１５と逆側端部には屈曲片３２３が９０度下向きに屈曲して設けられている。また、この蓋体３２０の、前記保持片３２１，３２１のある側の外側面部分には封印シール貼付用溝部３２４が設けられ、一方、その前記屈曲片３２３側の短部には取付用ボルト通し孔３２６が設けられている。」
　　　　　　　　　　　　　　　　　　　　　　　　　　　
・記載事項３
　「【００３１】このように制御基盤１３０が収納ケース本体３１０内に設置された状態で、前記蓋体３２０の保持片３２１，３２１が収納ケース本体３１０の保持片３１５，３１５と相補的に噛み合さった状態にされてから、収納ケース本体３１０の係止片３１６，３１６の係止部３１６ａ，３１６ａが蓋体３２０の係止段部３２２，３２２に引掛けられた状態にされる。そして、その後、取付ボルト３２７が蓋体３２０のボルト通し孔３２６中に通され、その先端が収納ケース本体３１０のねじ穴（図示省略）中に螺着されることによって、収納ケース本体３１０の開口部が蓋体３２０により閉塞された状態となっている。そして、この状態で、内部の制御基盤１３０が改竄されないように、蓋体３２０の封印シール貼付用溝部３２４と収納ケース本体３１０の短壁板３１２の外側の封印シール貼付用溝部３１９（図９）等に跨った状態に貼付封印されている。また、蓋体３２０の機種名シール貼付用溝部３２５に、パチンコ機１の機種名表示のある機種名シール（図示省略）が貼着される。」
　　　　　　　　　　　　　　　　　　　　　　　　　　　　
　以上の記載事項１〜３及び図９〜図１０によれば、
　　　　　　　　　　　　　　　　　　　　　　　　　　　　　　
　「制御基盤１３０が収納される上端開口の透明な箱体状に作られたプラスチック材等の収納ケース本体３１０は、保持片３１５を有する短壁板３１２と係止片３１６を有する長壁板３１１と短壁板３１２の外側の封印シール貼付用溝部３１９を備え、前記収納ケース本体３１０に相対向するプラスチック材等から作られた蓋体３２０は、係止片３１６と係合し得る係止段部３２２と保持片３２１を有する嵌合片３２９と封印シール貼付用溝部３２４を備え、前記蓋体３２０の封印シール貼付用溝部３２４と前記収納ケース本体３１０の短壁板３１２の外側の封印シール貼付用溝部３１９とにより封印シールを跨った状態に貼付けて封印するための封印シール貼付用溝部が形成されるパチンコ機の制御基盤収納ケース。」（以下、「引用例発明」という。）が記載されている。
　　　　　　　　　　　　　　　　　　　　　　　　　　　　
（２）対比
　引用例発明と本願補正発明を対比すると、引用例発明の「制御基盤１３０が収納される上端開口の透明な箱体状に作られたプラスチック材等の収納ケース本体３１０」は、本願補正発明の「制御基板が装入される合成樹脂製のケース体」に相当し、以下同様に、「プラスチック材等から作られた蓋体３２０」は「合成樹脂製のカバー体」に、「パチンコ機の制御基盤収納ケース」は「パチンコ機の制御基板収納ボックス」に、それぞれ相当している。
　　　　　　　　　　　　　　　　　　　　　　　　　　　　　　　
　そして、引用例発明については、以下のことがいえる。
　　　　　　　　　　　　　　　　　　　　　　　　　　　
１）引用例の記載事項２の「【００２６】前記収納ケース本体３１０はプラスチック材等から上端開口の透明な箱体状に作られ、・・・。そして、その側部の相対向する長壁板３１１ａが設けられ、それら段付案内部３１１ａの途中には切欠き部３１１ｂが設けられている。・・・【００２７】他方、収納ケース本体３１０の相対向する短壁板３１２，３１３のうちの一方の短壁板３１２は長壁板３１１，３１１と同じ高さに形成され、他方の短壁板３１３は低く形成されている。」なる記載、図３および図９、図１０に基づけば、制御装置が長方形の箱体状を形成していること、および箱体状は箱型状と言い換えできるから、箱型状の収納ケース本体３１０の短壁板３１２と長壁板３１１の２辺は直交した周壁を形成していることは自明な事項である。
　さらに、引用例発明の収納ケース本体３１０の「保持片３１５」「係止片３１６」は、それぞれ蓋体３２０の「保持片３２１」「係止段部３２２」に相補的に噛み合うものであるから、それぞれ蓋体３２０の位置決めを行うための「位置決め部」ということができる。
　そして、引用例発明の「収納ケース本体３１０」は、本願補正発明の「ケース体」に相当していることは上記したとおりである。
　そうすると、引用例発明の「制御基盤１３０が収納される上端開口の透明な箱体状に作られ、保持片３１５を有する短壁板３１２と係止片３１６を有する長壁板３１１と短壁板３１２の外側の封印シール貼付用溝部３１９を備えた収納ケース本体３１０」は、本願補正発明の「箱型状の周壁部のうちの直交する２辺の周壁部のそれぞれに位置決め部が形成された合成樹脂製のケース体」と実質的に言い換えることができる。
　　　　　　　　　　　　　　　　　　　　　　　　　　　　　
２）同様に、記載事項２の「【００２９】また、この蓋体３２０の、前記収納ケース本体３１０の係止片３１６，３１６と対応する側の端部にはそれら係止片３１６，３１６の係止部３１６ａ，３１６ａが係合し得る係止段部３２２，３２２が設けられ、その左右両側の長辺部分には前記収納ケース本体３１０の左右両側の係止段部３１１ａ，３１１１ａに相互的に外嵌される嵌合片３２９，３２９が下向きに設けられている。また、この蓋体３２０の、前記保持片３１５と逆側端部には屈曲片３２３が９０度下向きに屈曲して設けられている。」なる記載、および図９、図１０に基づけば、収納ケース本体３２０の係止片３１６と蓋体３１０の係止段部３２２が互いに係合することにより、収納ケース本体３２０に蓋体３１０を閉塞するものであって、収納ケース本体３２０の保持片３１５と蓋体３１０の保持片３２１が相補的に噛み合わさった状態にされてから、収納ケース本体３１０の係止片３１６と蓋体３２０の係止段部３２２が引っ掛けられ、その後、取付ボルト３２７により、収納ケース本体３２０に蓋体３１０を閉塞するものであるから、引用例発明の収納ケース本体３１０の「係止片３１６」と「係止段部３２２」は、本願補正発明のケース体の「係止部」と「被係止部」と言い換えることができる。
　また、上記１）で示したように、収納ケース本体３１０および蓋体３２０は相対向して制御基板１３０を収納する箱体状の制御装置３００を構成するものである以上、蓋体３２０が収納ケース本体３１０と同様に箱体状を形成していること、および箱体状は箱型状と言い換えできるから、引用例発明の箱型状の蓋体３２０の嵌合片３２９は、収納ケース本体と同様に２辺の周壁を形成するとともに、その２辺の周壁部は直交しているということができる。
　そうすると、引用例発明の「前記収納ケース本体に相対向するプラスチック材等から作られ、係止片３１６と係合し得る係止段部３２２と保持片３２１を有する嵌合片３２９と封印シール貼付用溝部３２４を備えた蓋体３２０」は、本願補正発明の「前記ケース体に係止部と被係止部とによって結合され且つ位置決め部を係合案内する案内部が箱型状の周壁部のうちの直交する２辺の周壁部のそれぞれに形成された合成樹脂製のカバー体」と実質的に言い換えることができる。
　　　　　　　　　　　　　　　　　　　　　　　　　　　　　　
３）引用例の記載事項３の「【００３１】・・・このように制御基盤１３０が収納ケース本体３１０内に設置された状態で、前記蓋体３２０の保持片３２１，３２１が収納ケース本体３１０の保持片３１５，３１５と相補的に噛み合さった状態にされてから、収納ケース本体３１０の係止片３１６，３１６の係止部３１６ａ，３１６ａが蓋体３２０の係止段部３２２，３２２に引掛けられた状態にされる。そして、その後、・・・収納ケース本体３１０の開口部が蓋体３２０により閉塞された状態となっている。そして、この状態で、内部の制御基盤１３０が改竄されないように、蓋体３２０の封印シール貼付用溝部３２４と収納ケース本体３１０の短壁板３１２の外側の封印シール貼付用溝部３１９（図９）等に跨った状態に貼付封印されている。・・・」なる記載並びに図９に基づけば、蓋体３２０の封印シール貼付用溝部３１９と収納ケース本体３１０の封印シール貼付用溝部３２４に跨った状態で封印シールを貼り付けるために、蓋体３１０の溝部３１９と収納ケース本体３２０の溝部３２４からなる封印シール貼付用溝部が設けられているのであるから、蓋体３２０の表面と収納ケース本体３１０の表面にわたって実質的に封印シールを貼り付けるための封印シール貼付用溝部が形成されているということができる。
　そして、引用例発明の「収納ケース本体３１０」「蓋体３２０」は、本願補正発明の「ケース体」「カバー体」に相当していることは上記したとおりである。
　そうすると、引用例発明の「前記蓋体３２０の封印シール貼付用溝部３２４と前記収納ケース本体３１０の短壁板３１２の外側の封印シール貼付用溝部３１９とにより封印シールを跨った状態に貼付けて封印するための封印シール貼付用溝部が形成される」は、本願補正発明の「前記ケース体の表面と前記カバー体の表面にわたって封印シールを貼着けるための貼付け面が形成されている」と実質的に言い換えることができる。
　　　　　　　　　　　　　　　　　　　　　　　　　　　
　上記の点を考慮すると、本願補正発明と引用例発明は、
　　　　　　　　　　　　　　　　　　　　　　　　　　
　「制御基板が装入される箱型状の周壁部のうちの直交する２辺の周壁部を有する合成樹脂製のケース体と、前記ケース体に係止部と被係止部とによって結合され且つ箱型状の周壁部のうちの直交する２辺の周壁部を有する合成樹脂製のカバー体とを備え、前記ケース体の表面と前記カバー体の表面にわたって封印シールを貼着けるための貼付面が形成されるパチンコ機の制御基板収納ボックス。」の点で一致し、以下の点で相違していると認められる。
　　　　　　　　　　　　　　　　　　　　　　　　　　　
＜相違点＞
　本願補正発明においては、封印シールの剥離を防止するために、貼付け面に貼り付けられる封印シールの外周面に沿って方形枠状の仕切壁が突設されているのに対し、引用例発明においては、この点が明確でない点。
　　　　　　　　　　　　　　　　　　　　　　　　　　　　　
（３）判断
　上記相違点について、検討する。
　一般的に、シール等を、凹部を設けて凹部内にもしくは仕切壁で区切られた内側に貼ることにより、貼着されたシール等への不慮の接触を防止し、結果として、貼着されたシールの剥離を防止できることは、自明な技術事項に過ぎない上、実開平０６−０７７７８５号のＣＤ−ＲＯＭの【００１９】、特開平０２−２４９５７２号公報の第３頁左下欄第７行〜右下欄第１３行、図２等に記載されているように、所定部材の表面に壁部材を突設することで表面に溝を設けることなく仕切壁を設けることができることは周知な技術（以下、「周知技術」という。）である。
　そうすると、上記周知技術および自明な技術事項を参酌し、引用例発明の貼付け面に貼り付けられる封印シールの外周面に沿って方形枠状の仕切壁を有する封印シール貼付用溝部に代えて、カバー体およびケース本体の表面から仕切壁を突設して封印シールの張り付け面を囲むようにして、カバー体およびケース本体に溝を設けることなくカバー体およびケース本体の表面に封印シールの貼り付け面を設けて貼り付けられた封印シールの剥離を防止するようにすること、すなわち、本願補正発明の上記相違点に係る構成となすことは、当業者が容易になし得る程度のことということができる。
　　　　　　　　　　　　　　　　　　　　　　　　　　　
（４）作用効果およびむすび
　よって、本願補正発明は、引用例発明および周知技術に基づいて、当業者が容易に想到することができたものであり、本願補正発明によって奏する効果も、引用例発明および周知技術に基づいて、普通に予測できる範囲内のものであって格別のものがあると認められないから、特許法第２９条第２項により特許出願の際独立して特許を受けることができないものである。
　　　　　　　　　　　　　　　　　　　　　　　　　　　　　
（５）補正却下の判断
　上記のとおり、本願補正発明は、平成１８年改正前特許法第１７条の２第５項で準用する同法第１２６条第５項の規定に違反するものであるので、平成１７年７月１１日付の手続補正は、特許法第１５９条第１項で準用する同法第５３条第１項の規定により却下されるべきものである。
　　　　　　　　　　　　　　　　　　　　　　　　　　　　　　
３．本願発明について
　平成１７年７月１１日付の手続補正は上記のとおり却下されているので、平成１７年１月２０日付の手続補正書における特許請求の範囲の請求項１〜２に係る発明は、その請求項１〜２に記載されたとおりと認められ、その請求項１に係る発明は、次のとおりに特定されるものである。
　　　　　　　　　　　　　　　　　　　　　　　　　　　　　　　　
　「制御基板が装入されるケース体と、そのケース体に結合されるカバー体と、を備えたパチンコ機の制御基板収納ボックスであって、
　前記ケース体の表面とカバー体の表面にわたって封印シールを貼着けるための貼付け面が形成され、
　前記ケース体の表面とカバー体の表面には、前記封印シールの剥離を防止するために、前記貼付け面に貼り付けられる封印シールの外周縁に沿って方形枠状の仕切壁が突出されていることを特徴とするパチンコ機の制御基板収納ボックス。」（以下、「本願発明」という。）
　　　　　　　　　　　　　　　　　　　　　　　　　　　
（１）引用例について
　引用例の記載事項は、上記２．［２］（１）引用例について記載したとおりである。
　　　　　　　　　　　　　　　　　　　　　　　　　　　
（２）対比・判断
　本願発明は、上記２．［２］（２）対比および同（３）判断で検討した本願補正発明において、パチンコ機の制御基板収納ボックスから、「箱型状の周壁部のうちの直交する２辺の周壁部のそれぞれに位置決め部が形成された合成樹脂製のケース体と、そのケース体に係止部と被係止部とによって結合され且つ前記位置決め部を係合案内する案内部が箱型状の周壁部のうちの直交する２辺の周壁部のそれぞれに形成された合成樹脂製のカバー体」を削除したものである。
　そうすると、本願発明の構成要件をすべて含み、さらに他の構成要素を付加したものに相当する本願補正発明が、上記２．［２］（３）判断〜（４）作用効果およびむすびに記載したとおり、引用例発明および周知技術に基づいて、当業者が容易に発明することができたものであるので、特許法第２９条第２項の規定により特許を受けることができないものである。
　したがって、本願発明も、同様の理由により、引用例発明および周知技術に基づいて、当業者が容易に発明をすることができたものである。
　　　　　　　　　　　　　　　　　　　　　　　　　　　　
（３）むすび
　以上のとおり、本願発明は、引用例発明および周知技術に基づいて、当業者が容易に発明をすることができたものであるから、特許法第２９条第２項の規定により特許を受けることができない。
　したがって、他の請求項について検討するまでもなく本願は拒絶されるべきものである。
　よって、結論のとおり審決する。